(57)【特許請求の範囲】
【請求項１】
吸収材で形成された袋状吸収体の外周部が防水カバーで覆われ、使用する人の腹上にのせて使用される尿取りパッドであって、
この尿取りパッドは、前記腹上から両太腿の付け根に添うように、使用時平面視が逆八の字状の斜面につながる密閉された底部を有し、腹上に接する面側に前記使用する人の陰部を前記袋状吸収体の袋内部に収納するための切欠部が形成され、この切欠部の前記底部側先端が前記腹上に接する面側の中央部から前記底部との間に位置し、前記防水カバーで覆われた袋状吸収体は、使用時平面視上端に開口部が形成され、この開口部に使用時平面視の幅が狭くなるように絞り部が形成され、前記切欠部が前記開口部の上端から切り欠いたＵ字型切欠部であることを特徴とする尿取りパッド。
【請求項２】
前記使用する人は、自らトイレに行くことが困難な被介護者であることを特徴とする請求項１記載の尿取りパッド。
【請求項３】
前記使用する人の陰部が収納される切欠部は男性性器を収納できる切欠部であることを特徴とする請求項１または請求項２記載の尿取りパッド。
【請求項４】
前記使用する人の陰部が収納される切欠部は女性性器を収納できる切欠部であることを特徴とする請求項１または請求項２記載の尿取りパッド。
【発明の詳細な説明】
【技術分野】
【０００１】
本発明は尿取りパッドに関し、特に被介護者および尿失禁者などに使用される袋状の尿取りパッドに関する。
【背景技術】
【０００２】
従来、高い要介護の認定を受けている者や排尿障害などにより失禁をしてしまう尿失禁者など、自らトイレに行くことが困難な被介護者は紙おむつをしている。このため、紙おむつに関しては現在も開発がなされている（特許文献１、特許文献２）。
しかし、紙おむつは、紙おむつの交換時に被介護者を動かさなければ交換することができず、介護者にとって大変な力仕事となる。また、被介護者においても、排尿によって紙おむつ内で体温によって温められた尿が蒸れ、体圧によって紙おむつ内の尿が滲み出て、陰部および臀部の不快感、床ずれ、不眠による健康状態の悪化を招くという欠点があった。失禁者においても同様に、陰部および臀部への不快感と、紙おむつ交換時における衣服の脱着の不便さがあった。
また、排泄した大便は尿と容易に混合してしまい、被介護者並びに介護者共にその不快感は大なるものであった。
【０００３】
このため、紙おむつに代る尿取りパッドが開発されている。例えば、下部を密閉端とし、上部を開口端とした吸収材からなる袋体を形成し、開口端の片面の上部中心より長方形に切り抜いて、ペニスを入れる切り込み部を設けた切り込み部の上部両端に、閉じ止め具を取り付けた男性用尿取りパットが開示されている（特許文献３）。
【０００４】
また、軽失禁者や、排尿後も少量の尿の漏れが生じる軽度の尿失禁者用者に好適な男性用失禁パッドとして、液透過性のトップシートと、透湿性で液不透過性のバックシートと、これら両シート間に液吸収シートが設けられ、股部方向が狭幅で、その反対方向が広幅であり、ほぼ広幅部分の幅のほぼ中央部に男性の性器部の陰茎を取り出すためのほぼ縦方向に走るスリット部が設けられており、スリット部の左右の縁近傍部分が重ね合わされてオーバーラップした構造にされており、バックシートのほぼ広幅部分の外側面には、その左右の両縁近傍にほぼ縦方向にすべり止めテープが設けられている男性用失禁パッドが開示されている（特許文献４）。
男性用尿取りパットを他の下着類と併用する技術も開示されている（特許文献５、特許文献６）。
【０００５】
また、尿取りパットの市販品としては、商品名アテント尿取りパッド（大王製紙(株)）、商品名ライフリー心とお肌のケアパッド（ユニ・チャーム(株)）等がある（非特許文献１）。
【先行技術文献】
【特許文献】
【０００６】
【特許文献１】特開２０１０−１１０５４６号公報
【特許文献２】特開２０１０−８２１３２号公報
【特許文献３】実用新案登録第３１０４１０９号公報
【特許文献４】特開２００８−２３２４７号公報
【特許文献５】実用新案登録第３０８７２７１号公報
【特許文献６】特開２００６−２１８１４４号公報
【非特許文献】
【０００７】
【非特許文献１】http://www.kaientai.cc/goodslistc.aspx?ccd=0813
【発明の概要】
【発明が解決しようとする課題】
【０００８】
しかしながら、従来の尿取りパットは、パット交換時毎にパットの閉じ止め具を開閉したり、併用している紙おむつや下着を脱がせたりしないと尿取りパットの交換ができないという問題がある。
また、固定具や止め具を尿取りパット装着時に取り扱うので装着が煩雑になったり、被介護者の尊厳を害したりする場合がある。さらに従来の尿取りパットは、装着した被介護者の体重移動により吸収材への尿の吸収が阻害され計算上の吸収量が得られないという問題がある。
【０００９】
本発明は以上のような従来の問題に鑑み、簡易な構造であるにもかかわらず吸収材への尿の吸収が十分にできるため、トイレに行くことが困難な被介護者を動かすことなく簡単な作業で交換することができ、臀部の蒸れ、床擦れの原因を効率よく阻止すると共に、交換時に衣服を脱がすこともなく、肉体的、精神的負担の軽減ができる尿取りパットの提供を目的とする。また、臀部への尿の漏れがなくなるため、頻繁な紙おむつの交換が不要となり、紙おむつ等の費用低減を図ることができる使い捨て尿取りパッドの提供を目的とする。
【課題を解決するための手段】
【００１０】
本発明者は、自らトイレに行くことが困難な被介護者を長年にわたり介護した経験から、介護者および被介護者双方にとって、紙おむつは脱着時および使用時に必ずしも十分な介護用具ではなく、特に頻度の多い排尿のためには不十分であると感じていた。尿取りパットについて工夫を重ねた結果、被介護者の腹上にのせて使用できるように、逆八の字状の斜面につながる密閉された底部を有して、開口部の中央部から下のほうにＵ字型切欠部を設けることで、排尿された尿が漏れることなく、かつ介護者に負担にならず、被介護者の尊厳を害することなく、極めて簡単な方法で脱着できる尿取りパットができることを見出した。本発明はこのような知見に基づくものである。
【００１１】
すなわち、本発明の尿取りパッドは、吸収材で形成された袋状吸収体の外周部が防水カバーで覆われ、使用する人の腹上にのせて使用される尿取りパッドであって、この尿取りパッドは、腹上から両太腿の付け根に添うように、使用時平面視が逆八の字状の斜面につながる密閉された底部を有し、腹上に接する面側に使用する人の陰部を袋状吸収体の袋内部に収納するための切欠部が形成され、この切欠部の先端が腹上に接する面側の中央部から密閉された底部との間に位置し、防水カバーで覆われた袋状吸収体は、使用時平面視上端に開口部が形成され、この開口部に使用時平面視の幅が狭くなるように絞り部が形成され、上記切欠部が開口部の上端から切り欠いたＵ字型切欠部であることを特徴とする。
本発明の尿取りパッドを使用する人は、自らトイレに行くことが困難な被介護者であることを特徴とし、特に男性または女性の陰部を袋状吸収体の袋内部に収納するための切欠部が上記開口部の上端から切り欠いたＵ字型切欠部であることを特徴とする。
【発明の効果】
【００１２】
本発明の尿取りパッドは、使用する人の腹上にのせて使用され、腹上から両太腿の付け根に添うように、使用時平面視が逆八の字状の密閉底部を有するので、寝返りや身体の移動時に大腿部が尿取りパッドの逆八の字状の斜面に当たって尿取りパッドがずれるのを防止できる。また、使用する人の腹上および逆八の字状の斜面で支えるのに加えて、例えば、おむつカバーテープ止めタイプの紙おむつを被介護者に装着するだけで殆ど位置がずれることがない。さらに尿取りパッドが腹上に位置することによって体圧がかからず無圧の状態になるので排尿が全て吸収材に吸収され寝返りをうっても尿漏れが生じない。
【００１３】
本発明の尿取りパッドは、腹上に接する面側に上記使用する人の陰部を上記袋状吸収体の袋内部に収納するための切欠部が、腹上に接する面側の中央部から底部との間に形成されているので、自らトイレに行けない被介護者の衣服を脱がすことなく簡単な作業で尿取りパッドを交換することができ、臀部の不快感、床ずれの原因を効率よく阻止することができる。また、紙おむつを併用した場合、排泄した大便は尿とは混合しないものであり、介護者の肉体的、精神的負担も軽減させ、楽で気軽に尿取りパッドや紙おむつを取り替えることができる。
【００１４】
本発明の尿取りパッドは、平面視上端に開口部が形成され、この開口部に使用時平面視の幅が狭くなるように絞り部が形成されているので、逆八の字状部の斜面および密閉底部を介護者が手で持つことにより尿取りパッド上端が容易に筒状になり、さらにＵ字型切欠部を設けることで被介護者の尊厳を害することなく陰部に簡単に脱着することができる。
また、紙おむつと併用した場合であっても、紙おむつ内の臀部への尿の漏れがなくなるため、頻繁な紙おむつの交換が不要となり、紙おむつ等の費用低減を図ることができる。
【図面の簡単な説明】
【００１５】
【図１】尿取りパッドを正面からみた図である。
【図２】尿取りパッドを背面からみた図である。
【図３】開口部に絞り部を設けた尿取りパッドを正面からみた図である。
【図４】開口部に絞り部を設けた尿取りパッドを背面からみた図である。
【図５】図３および図４で示す尿取りパッドの背面図である。
【図６】尿取りパッドの展開図である。
【図７】尿取りパッドに設けられる滴型切欠部を示す背面図である。
【図８】尿取りパッドに設けられる丸穴部とスリットとの切欠部を示す背面図である。
【図９】尿取りパッドに設けられる縦方向に長い楕円切欠部を示す背面図である。
【図１０】尿取りパッドに設けられる横方向に長い楕円切欠部を示す背面図である。
【図１１】尿取りパッドに設けられる十字状切欠部を示す背面図である。
【図１２】尿取りパッドに設けられる四角形切欠部を示す背面図である。
【図１３】尿取りパッドに設けられる三角形切欠部を示す背面図である。
【図１４】尿取りパッドにずれ防止テープを設ける例である。
【図１５】尿取りパッドの使用方法を説明する図面である。
【図１６】尿取りパッドの使用方法を説明する図面である。
【図１７】尿取りパッドの使用方法を説明する他の図面である。
【図１８】男性失禁者の使用例を示す図である。
【図１９】女性用の切欠部を有する尿取りパッドの正面図である。
【図２０】女性用の切欠部を有する尿取りパッドの背面図である。
【発明を実施するための形態】
【００１６】
以下、図面により本発明の尿取りパッドを詳細に説明する。図１は絞り部を形成する前の尿取りパッドを正面からみた図であり、図２は背面からみた図である。
図１および図２に示すように、尿取りパッド１は、男性の陰茎を挿入する切欠部２が形成された袋状吸収体３の外周部を防水可能に覆う防水カバー４と、内周部に形成される透水シート７とで構成されている。袋状吸収体３を腹上にのせて、男性の陰部を切欠部２に挿入させ、排尿が周囲に広がることなく吸収体３に吸収させて使い捨てすることができる。
【００１７】
切欠部２は、尿取りパッド１の略中央位置に形成された丸穴部２ａと、尿取りパッド１の上端部５から丸穴部２ａに向かって形成されたスリット部２ｂとで構成されている。
【００１８】
尿取りパッド１は、開口部５が所定の一定の幅ｔ3を有する上部領域１ａと徐々に幅が狭くなる下部領域１ｂとで構成されている。下部領域１ｂは、両大腿部の付け根の形状に対応させて下方に向かうに従って徐々に幅が狭くなる逆八の字状の斜面６とこの斜面につながる密閉された底部６ａが形成されており、尿取りパッド１を装着した被介護者が寝返りや身体の移動時に大腿部が尿取りパッド１に当たって尿取りパッド１がずれるのを、逆八の字状の斜面６にて、更に、防止するようにしている。
【００１９】
図３は本発明の実施例の尿取りパッドを正面からみた図であり、図４は背面からみた図である。
尿取りパッド１の上端に形成された開口部５に使用時平面視の幅が狭くなるように絞り部５ａが形成されている。絞り部５ａを形成することで、男性の陰茎を尿取りパッド１内に収納する際に、尿取りパッド１の両側を把持することにより、開口部５はスムーズに楕円形状から円形状に広がり、男性の陰茎を尿取りパッド１内に収納し易くしている。
また、切欠部２と開口部５とを形成することにより、吸収体３に放出された尿が毛細管現象によりスムーズに吸収体３全体に拡散する。
【００２０】
図５は、図３および図４で示す尿取りパッドの背面図である。
図５において切欠部２は、被介護者の腹上に接する面側に形成されており、この切欠部２に被介護者の陰部が袋状吸収体３の袋内部に収納される。切欠部２の丸穴部２ａを形成する先端部は、尿取りパッド１の縦方向および横方向の略中央位置から底部６ａとの間に位置している。切欠部２をこのように設定することで、被介護者の腹上に尿取りパッドをのせることができる。被介護者の腹上にのせる割合は、重量比で袋状吸収体３の半分以上とすることが好ましい。
ここで、被介護者の腹上とは、被介護者のヒップラインとウエストラインとの間の腹表面部をいう。
【００２１】
平均身長および体重の成人男子用の一例として例示すれば、図５において、尿取りパッド１の大きさは、ｔ1が１４０ｍｍ、ｔ2が１００ｍｍ、ｔ3が１８５ｍｍ、ｔ4が４０ｍｍ、ｔ5が１００ｍｍ、ｔ6が１４０ｍｍ、ｔ7が２５ｍｍ、およびｔ8が５０ｍｍである。なお、ｔ7はｔ3およびｔ6の中心に位置している。また、この尿取りパッド１の重量は約６５ｇである。この寸法は、昼間用および夜間用などの用途、被介護者の身長および体重に応じて変更することができる。
【００２２】
尿取りパッド１の展開図を図６に示す。尿取りパッド１は、図３および図４では開口部５は楕円形状に押し広げられたものが示されているが、製造前を展開すると図６に示すように、野球の本塁ベースを２個連結したような形状になっている。この形状のシートは防水カバー４と吸収体３と透水シート７の３層構造となっており、幅広となった上端５を形成する部分を除いて、透水シート７が内側になるように底部６ａとなる部分を折り曲げて端縁を接合させることで尿取りパッド１が製造できる。接合は、テープ止め、縫合、熱溶着などを適宜選択すればよい。
【００２３】
尿取りパッド１に設けられる切欠部２の参考態様について図７〜図１３に示す。
図７に示す切欠部２は、尿取りパッド１の略中央位置に向かって徐々に幅広の滴型に形成されている。切欠部２の丸穴部２ａを形成する先端部は、尿取りパッドの略中央位置から底部６ａとの間に位置している。また、尿取りパッド１は袋内部側から透水シート７、吸収体３および防水カバー４の順で積層されている。積層構造部分の部分拡大断面図を図７に同時に示す。
【００２４】
図８に示す切欠部２は、尿取りパッド１の略中央位置に形成された丸穴部２ａと、尿取りパッド１の上端５から丸穴部２ａに向かって形成されたスリット２ｂとで構成されている。丸穴部２ａを形成する先端部は、尿取りパッドの略中央位置から底部６ａとの間に位置している。また、尿取りパッド１は袋内部側から透水シート７、吸収体３および防水カバー４の順で積層されている。積層構造部分の部分拡大断面図を図８に同時に示す。
【００２５】
図９に示す切欠部２は尿取りパッド１の略中央位置に縦方向に長い楕円形状に、図１０に示す切欠部２は、尿取りパッド１の略中央位置に横方向に長い楕円形状にそれぞれ形成されている。
同様に、図１１に示す切欠部２は十字状に、図１２に示す切欠部２は四角形状に、図１３に示す切欠部２は上方が水平な辺とした三角形状にそれぞれ形成されている。
また、尿取りパッド１は袋内部側から透水シート７、吸収体３および防水カバー４の順で積層されている。積層構造部分の部分拡大断面図を図９〜図１３に同時に示す。
【００２６】
図１４は他の尿取りパッドを正面からみた図である。尿取りパッド１の表面には、図１４に示すように、ずれを防止する工夫として両面テープ８を設けることができる。また、尿取りパッド１の裏面側（腹上に位置する部分）には、肌当たりを良好にするために柔らかい紙からなる表面シート９を設けることができる。
【００２７】
袋状吸収体３は、紙おむつ等で使用されている紙パルプ、吸収紙、高分子吸水シートを男性の陰部が挿入できるように切欠部２となるように袋状に形成されている。なお、吸収体３の切欠部２が形成された尿取りパッド１の内面側は、ポリオレフィン系の不織布などからなる透水シート７で覆われていて肌当たりを良好なものにしている。
【００２８】
防水カバー４は、紙おむつ等で使用されているポリエチレンフィルム等の合成樹脂シートを用いて、吸収体３を覆う袋状の溶着等によって形成されている。防水カバー４は、尿漏れが発生しないように袋状吸収体３全体を覆っている。
【００２９】
尿取りパッド１の使用方法について、図面を参照して説明する。図１５および図１６はおむつカバー、テープ止めタイプ紙おむつを併用した尿取りパッド１の使用方法を説明する図面である。
男性被介護者Ｍは、寝た状態でおむつカバー、テープ止めタイプ紙おむつ１０を開き、尿取りパッド１の切欠部２に男性被介護者Ｍの陰茎Ｐを装着する。切欠部２のスリット部を広げて尿取りパッド１を腰の方向に移動させ、丸穴部２ａに男性被介護者Ｍの陰茎Ｐを容易に位置させることができる。
特に、本発明の尿取りパッド１は、逆八の字状部の斜面６および密閉底部６ａを介護者が手で持つことにより、上部開口部５全体が円筒状になるので、男性被介護者Ｍの陰茎Ｐに触れることなく、介護者は陰茎Ｐを尿取りパッド１に装着できる。
装着した状態を図１６に示す。切欠部２の底部側先端２ａが腹上に接する面側の中央部から底部６ａとの間に位置しているので、尿取りパッド１の重量比で半分以上が男性被介護者Ｍの腹上にのせることができる。その後、紙おむつ１０を閉じる。本発明の尿取りパッド１は腹上から両太腿の付け根に添うように逆八の字状の斜面につながる底部を有しているので、両太腿の付け根で尿取りパッドが保持される。その結果、男性被介護者Ｍが寝返り、または身体を移動させたとしてもズレたり外れたりしない。特に紙おむつ１０などを併用する場合、よりズレたり外れたりしない。
【００３０】
男性被介護者Ｍが排尿した場合、尿は尿取りパッド１の吸収体３に吸収され防水カバー４によって周囲に漏れることがない。尿取りパッド１に排尿した場合、男性被介護者Ｍは、寝た状態でおむつカバー、テープ止めタイプ紙おむつ１０を開き、尿取りパッド１を交換するだけの簡単な作業で終了する。
なお、男性被介護者Ｍはテープ止めタイプ紙おむつ以外に股下の短い下着、パンツタイプ紙おむつ、おむつカバー、縦長おむつ等を使用していても同様に使用することができる。
【００３１】
図１７は尿取りパッド１の使用方法を説明する他の図面である。本発明の尿取りパッド１は男性被介護者Ｍの腹上で安定して使用できるので、寝巻き、パジャマ等で簡易に押さえるのみで使用できる。
図１８は男性失禁者の使用例を示す図である。男性失禁者であっても、図１８に示すように、ズボンを上げ下げするだけで、衣服を脱ぐことなく簡単に装着、交換することができる。
【００３２】
図１９および図２０は、女性用の切欠部２を有する尿取りパッド１の例である。図１９は平面図であり図２０は背面図である。尿取りパッド１は、吸収材で形成された吸収体３の外周部を防水カバー４で覆い、腹上に位置させて使用することができるように、尿取りパッド１の裏面には防水カバー４と吸収体３とを貫通し、女性の陰部が収納される切欠部２が形成されている。
【００３３】
尿取りパッド１は、所定幅の上部領域１ａと、上部領域１ａから下方に延接され所定幅から幅が逆八の字状に徐々に狭くなる中間部領域１ｃと、中間部領域１ｃから下方に延接され中間部領域１ｃと同一幅の下端部領域１ｂとで構成されており、下端部領域１ｂの先端は円弧状に形成されていて、女性が装着した際、違和感がないようにされている。
【００３４】
切欠部２は、尿取りパッド１の下部領域１ｂから中間部領域１ｃに跨って形成され女性の陰部が収納される縦長部２ｃと、尿取りパッド１の上端から縦長部２ｃに向かって形成された幅狭部２ｂとを連通させて構成されている。縦長部２ｃは、下端が円弧状に形成されていてその円弧の幅は幅狭部２ｂよりも幅広に形成されている。
【００３５】
尿取りパッド１は、中間部１ｃが両大腿部の付け根の形状に対応させて下方に向かうに従って徐々に狭くなる逆八の字の形状に形成されており、寝返りや身体の移動時に大腿部が尿取りパッド１に当たって尿取りパッド１がずれるのを防止するようにしている。尿取りパッド１の上端に形成された開口部５には幅が狭くなるように絞り部５ａが形成されている。
吸収体３は、一般の紙おむつ等で使用されている紙パルプ、吸収紙、高分子吸水シートにて上端５が開口された袋状であって、吸収体３に幅狭の切欠部２を設けると共に吸収体３の上端に開口部５を形成することにより、吸収体３に放出された尿が毛細管現象によりスムーズに吸収体３全体に拡散するようにしているが、見栄えを考慮して閉塞しても構わない。
【００３６】
吸収体３の切欠部２が形成された尿取りパッド１の内面側は、ポリオレフィン系の不織布などからなる透水シート７で覆われていて肌当たりを良好なものにしている。
【００３７】
防水カバー４は、紙おむつ等で使用されているポリエチレンフィルム等の合成樹脂シートからなっていて、尿漏れが発生しないように吸収体３全体を覆っている。
【００３８】
尿取りパッド１は、女性被介護者の陰部を尿取りパッド１の切欠部２の縦長部２ｃに挿入させて、縦長部２ｃに女性被介護者の陰部を位置させるのであるが、尿漏れを防ぐため、縦長部２ｃの周囲、中間部領域１ｃの下半分には立体ギャザー１１が形成されると共に、切欠部２の縦長部２ｃには、陰部尿道口の窪みに合わせて楕円形状で環状の突起部１２が形成されている。突起部１２は吸収体３で形成されていても構わないが、不織布で別体に形成されたのもが接合されていても構わない。
なお、尿漏れを防ぐため、縦長部２ｃの周囲、中間部領域１ｃの下半分には立体ギャザー１１を形成すると共に、切欠部２の縦長部２ｃには、陰部尿道口の窪みに合わせて楕円形状で環状の突起部１２を形成したが、いずれか一つだけでも構わないし、適宜組み合わせても構わないものである。
【００３９】
尿取りパッド１の切欠部２の縦長部２ｃの下部には袋状の尿溜め部１３が設けられていて、排尿時に尿が下方に漏れるのを防止している。
【００４０】
尿取りパッド１の切欠部２の縦長部２ｃと対面する吸収体３は、尿を尿取りパッド１の上部領域１ａへ効率良く吸収させるために吸収素材や高分子ポリマーの配合を調整するのが望ましい。また、テープ止めタイプの紙おむつを使用する場合は、陰部に当たる部分はずれを防止するため厚めにすることが望ましい。
【００４１】
尿取りパッド１の表面にはずれを防止する工夫として両面テープ８および尿取りパッド１の裏面側（腹上に位置する部分）には、肌当たりを良好にするために柔らかい紙からなる表面シート９を設けることができる。
【００４２】
上記構成の尿取りパッド１は、女性被介護者の陰部を尿取りパッド１の切欠部２の縦長部２ｃに収納させて、縦長部２ｃに女性被介護者の陰部を位置させ、この後、おむつカバーテープ止めタイプの紙おむつを女性被介護者に装着する。尿取りパッド１は腹上に位置しているので、位置がずれることがなく、尿漏れが生じることなく使用できる。女性被介護者が排尿した場合、尿は尿取りパッド１の吸収体３に吸収され防水カバー４によって周囲に漏れることがないのであり、女性被介護者は寝た状態でおむつカバーテープ止めタイプの紙おむつを開き、尿取りパッド１を交換するだけの簡単な作業で終了することができる。女性失禁者であっても、パンツを上げ下げするだけで、衣服を脱ぐことなく簡単に装着、交換することができる。
【産業上の利用可能性】
【００４３】
本発明の尿取りパッドは、簡単な作業で気軽に尿取りパッドや紙おむつを取り替えることができるので、被介護者の不快感、介護者の肉体的、精神的負担も軽減させることができる。そのため、今後の介護分野に広く利用できる。
【符号の説明】
【００４４】
１  尿取りパッド
２  切欠部
３  吸収体
４  防水カバー
５  開口部
６  逆八の字状の斜面
７  透水シート
８  両面テープ
９  表面シート
１０  紙おむつ
１１  立体ギャザー
１２  環状の突起部
１３  尿溜め部
Ｍ  男性被介護者
Ｐ  陰茎
【要約】
【課題】簡易な構造であるにもかかわらず吸収材への尿の吸収が十分にできるため、トイレに行くことが困難な被介護者を動かすことなく簡単な作業で交換することができ、臀部の蒸れ、床擦れの原因を効率よく阻止すると共に、交換時に衣服を脱がすこともなく、肉体的、精神的負担の軽減ができる。
【解決手段】吸収材で形成された袋状吸収体３の外周部が防水カバー４で覆われ、使用する人の腹上にのせて使用される尿取りパッド１であって、この尿取りパッドは、腹上から両太腿の付け根に添うように、使用時平面視が逆八の字状の斜面６につながる密閉された底部６ａを有し、腹上に接する面側に使用する人の陰部を袋状吸収体の袋内部に収納するための切欠部２が形成され、この切欠部の先端が腹上に接する面側の中央部から密閉された底部６ａとの間に位置する。
【選択図】図２【図１】
0004769902.tif 000002
【図２】
0004769902.tif 000003
【図３】
0004769902.tif 000004
【図４】
0004769902.tif 000005
【図５】
0004769902.tif 000006
【図６】
0004769902.tif 000007
【図７】
0004769902.tif 000008
【図８】
0004769902.tif 000009
【図９】
0004769902.tif 000010
【図１０】
0004769902.tif 000011
【図１１】
0004769902.tif 000012
【図１２】
0004769902.tif 000013
【図１３】
0004769902.tif 000014
【図１４】
0004769902.tif 000015
【図１５】
0004769902.tif 000016
【図１６】
0004769902.tif 000017
【図１７】
0004769902.tif 000018
【図１８】
0004769902.tif 000019
【図１９】
0004769902.tif 000020
【図２０】
0004769902.tif 000021